(57)【要約】【課題】回転機構を有する携帯端末装置において、コンテンツを外部機器の表示画面に表示する場合、外部機器の表示画面に表示されるコンテンツの回転の制御を、ユーザにとって容易にし、且つ、直感的に実施することが可能な携帯端末装置を提供する。【解決手段】表示部２を、少なくともコンテンツ表示面が露出した状態で格納し、携帯端末１００本体に対して回転可能に支持された筐体を、少なくとも２つの異なる角度の回転状態で維持させる回転機構３を有する携帯端末１００は、当該筐体の回転状態を検出する回転センサ４及び回転状態検出部６１と、回転センサ４及び回転状態検出部６１による検出結果に応じて、表示部２に表示されているコンテンツを回転処理するコンテンツ回転処理部６２と、コンテンツ回転処理部６２によって回転処理されたコンテンツを映像信号に変換して外部機器に出力する映像信号出力装置８と、を備える。【選択図】図１
2008301122.tif 000002
【特許請求の範囲】
【請求項１】
画像及び映像の少なくとも一方をコンテンツとして表示する表示手段を、少なくともコンテンツ表示面が露出した状態で格納し、装置本体に対して回転可能に支持された筐体と、
上記筐体を、少なくとも２つの異なる角度の回転状態で維持させる回転機構と、
上記回転機構によって維持されている筐体の回転状態を検出する回転状態検出手段と、
上記回転状態検出手段による検出結果に応じて、上記表示手段に表示されているコンテンツを回転処理するコンテンツ回転処理手段と、
上記コンテンツ回転処理手段によって回転処理されたコンテンツを映像信号に変換して外部機器に出力する映像信号出力手段とを備えることを特徴とする携帯端末装置。
【請求項２】
上記コンテンツ回転処理手段は、上記回転状態検出手段によって検出された筐体の回転状態から得られる当該筐体の装置本体上の基準位置からの回転角度と同じ回転角度で、上記表示手段に表示されているコンテンツを回転処理することを特徴とする請求項１に記載の携帯端末装置。
【請求項３】
上記映像信号出力手段によって外部機器に出力される映像信号に対応するコンテンツを一時的に記憶するコンテンツ記憶手段を備え、
上記コンテンツ回転処理手段は、
上記回転状態検出手段による検出結果に応じて、上記コンテンツ記憶手段から上記表示手段に表示されているコンテンツに対応するコンテンツを読み出して当該コンテンツを回転処理することを特徴とする請求項１に記載の携帯端末装置。
【請求項４】
電話機能を有することを特徴とする請求項１〜３の何れか１項に記載の携帯端末装置。
【請求項５】
画像及び映像の少なくとも一方をコンテンツとして表示する表示手段を、少なくともコンテンツ表示面が露出した状態で格納し、装置本体に対して回転可能に支持された筐体と、
上記筐体を、少なくとも２つの異なる角度の回転状態で維持させる回転機構とを備える携帯端末装置の表示制御方法であって、
上記回転機構によって維持されている筐体の回転状態を検出し、
上記筐体の回転状態の検出結果に応じて、上記表示手段に表示されているコンテンツを回転処理し、
上記回転処理されたコンテンツを映像信号に変換して外部機器に出力することを特徴とする携帯端末装置の表示制御方法。
【発明の詳細な説明】
【技術分野】
【０００１】
本発明は、画像及び／または映像（以下、「コンテンツ」と称する）のデータ（以下、「コンテンツデータ」と称する）を、映像信号に変換して、表示画面を有する他の機器（以下、「外部機器」と称する）に出力する携帯端末装置に関するものであり、特に、回転機構を有する携帯端末装置に関するものである。
【背景技術】
【０００２】
携帯電話機をはじめとする携帯端末装置には、コンテンツデータを映像信号に変換して外部機器に出力することにより、外部機器の表示画面にコンテンツを表示させる機能を有する機種が存在する。
【０００３】
具体的には、携帯端末装置の映像出力端子と外部機器の映像入力端子とを、映像信号線により接続すると、携帯端末装置は、コンテンツデータを映像信号に変換して、当該映像信号を外部機器に出力することが可能となる。そして、当該映像信号が外部機器に入力されると、外部機器は、入力された映像信号に基づいてコンテンツデータを生成し、コンテンツとして表示画面に表示する。これにより、携帯端末装置は上記機能を実現する。
【０００４】
この種の携帯端末装置は、表示部が長方形に設計される機種が少なくない。とりわけ、携帯電話機においては、表示部が、長方形かつ上下方向の長さが左右方向の長さよりも長い形状（以下、「縦長」と称する）に縦長に設計される機種が大勢を占める。
【０００５】
なお、この理由は下記にある。
【０００６】
即ち、携帯電話機は、受話口をユーザの耳元付近に配置し、送話口をユーザの口元付近に配置する必要がある。そのため、携帯電話機のサイズを考慮すると、携帯電話機は、筐体が縦長に設計されるのが一般的である。そしてそれに伴い、表示部は、縦長の筐体に好適に格納されるべく、縦長に設計されるのが好ましい。
【０００７】
一方、コンテンツは、縦長であるものに限らず、横長（長方形かつ上下方向の長さが左右方向の長さよりも短い形状）であるものも多数存在する。当然ながら、縦長のコンテンツは縦長の表示部に、横長のコンテンツは横長の表示部に表示するのが適切である。ここで、コンテンツを表示部に不適切に表示させる（即ち、縦長のコンテンツを横長の表示部に表示させる、または横長のコンテンツを縦長の表示部に表示させる）と、コンテンツは、本来の大きさから縮小された状態で表示部に表示されたり、一部が表示部に表示されなくなってしまったりする虞がある。
【０００８】
そのため、携帯端末装置においては、コンテンツを表示部に適切に表示させる（即ち、縦長のコンテンツを縦長の表示部に表示する、または横長のコンテンツを横長の表示部に表示する）必要がある。
【０００９】
ところで、近年の携帯端末装置では、テレビ放送（アナログ放送及び／またはワンセグ放送に代表されるデジタル放送）を受信する機能を有する機種が存在する。そして、テレビ放送の映像を適切に表示部に表示すべく、非特許文献１に開示される携帯電話機は、表示部をコンテンツ表示面が露出した状態で格納し、装置本体に対して回転可能に支持された筐体を、少なくとも２つの異なる角度の回転状態で維持させる回転機構を有する。
【００１０】
非特許文献１に開示されている携帯端末装置（携帯電話機）は、表示部は縦長であるが、受信したテレビ放送は横長の映像として表示部に表示される。そこで、非特許文献１に開示される携帯端末装置は、表示部を備える筐体部分のみを回転させることで表示部を実質的に横長とする。これにより、受信したテレビ放送の映像を、適切に表示部に表示させることができる。
【非特許文献１】ＳｏｆｔＢａｎｋ  Ｍｏｂｉｌｅ  ９０５ＳＨ  取扱説明書（２００６年５月、第２版発行）
【発明の開示】
【発明が解決しようとする課題】
【００１１】
ところで、非特許文献１に開示されている携帯端末装置には、コンテンツデータを変換して得られる映像信号を外部に出力する場合において、表示手段を備える筐体部分の姿勢に応じて当該映像信号を所定の状態から変化させることができない。つまり、非特許文献１に開示されている携帯端末装置には、コンテンツを外部機器の表示画面に表示する場合において、表示手段を備える筐体部分の姿勢に応じて外部機器の表示画面に表示されるコンテンツを自動的に回転させることができない。
【００１２】
そこで、非特許文献１に開示されている携帯端末装置において、外部機器の表示画面に表示されるコンテンツを回転させる場合は、ユーザによる特定の設定操作（設定メニューによる設定、設定ボタンによる設定等）により行われる。この場合、外部機器の表示画面に表示されるコンテンツの回転の制御を実施するためには、ユーザが上記特定の設定操作により、携帯端末装置に対して、当該コンテンツを所望の角度だけ回転させる旨指示する必要がある。このため、非特許文献１に開示されている携帯端末装置における、外部機器の表示画面に表示されるコンテンツの回転の制御は、ユーザにとって煩雑なものとなる。
【００１３】
また、ユーザが携帯端末装置に対して上記指示を与えることで回転の制御を実施する場合、ユーザは、当該所望の角度を概ね把握した上で、回転の制御を実施する必要がある。この場合、ユーザは、当該所望の角度を視覚的に把握することは不可能であるため、結果として、外部機器の表示画面に表示されるコンテンツの回転の制御を直感的に実施することが困難であるという問題が発生する。
【００１４】
本発明は、上記の問題点に鑑みてなされたものであり、その目的は、回転機構を有する携帯端末装置において、コンテンツを外部機器の表示画面に表示する場合、外部機器の表示画面に表示されるコンテンツの回転の制御を、ユーザにとって容易にし、且つ、直感的に実施することが可能な携帯端末装置を提供することにある。
【課題を解決するための手段】
【００１５】
本発明に係る携帯端末装置は、上記課題を解決するために、画像及び映像の少なくとも一方をコンテンツとして表示する表示手段を、少なくともコンテンツ表示面が露出した状態で格納し、装置本体に対して回転可能に支持された筐体と、上記筐体を、少なくとも２つの異なる角度の回転状態で維持させる回転機構と、上記回転機構によって維持されている筐体の回転状態を検出する回転状態検出手段と、上記回転状態検出手段による検出結果に応じて、上記表示手段に表示されているコンテンツを回転処理するコンテンツ回転処理手段と、上記コンテンツ回転処理手段によって回転処理されたコンテンツを映像信号に変換して外部機器に出力する映像信号出力手段とを備えることを特徴としている。
【００１６】
また、本発明に係る携帯端末装置の表示制御方法は、上記課題を解決するために、画像及び映像の少なくとも一方をコンテンツとして表示する表示手段を、少なくともコンテンツ表示面が露出した状態で格納し、装置本体に対して回転可能に支持された筐体と、上記筐体を、少なくとも２つの異なる角度の回転状態で維持させる回転機構とを備える携帯端末装置の表示制御方法であって、上記回転機構によって維持されている筐体の回転状態を検出し、上記筐体の回転状態の検出結果に応じて、上記表示手段に表示されているコンテンツを回転処理し、上記回転処理されたコンテンツを映像信号に変換して外部機器に出力することを特徴としている。
【００１７】
上記の構成によれば、コンテンツとして表示する表示手段を少なくともコンテンツ表示面が露出した状態で格納し、装置本体に対して回転可能に支持された筐体の回転状態が検出され、その検出結果に応じて、コンテンツ回転処理手段によって、上記表示手段に表示されているコンテンツが回転処理され、そして、映像信号出力手段によって、回転処理されたコンテンツを映像信号に変換して外部機器に出力することで、外部機器には、筐体の回転に応じて回転処理されたコンテンツが表示されることになる。
【００１８】
これにより、ユーザは、携帯端末装置に表示させるコンテンツを外部機器の表示画面に表示する場合、当該携帯端末装置の表示手段を格納している筐体を装置本体に対して回転させるだけで、簡単に外部機器の表示画面に表示されるコンテンツの回転制御を行うことができる。
【００１９】
従って、回転機構を有する携帯端末装置において、コンテンツを外部機器の表示画面に表示する場合、外部機器の表示画面に表示されるコンテンツの回転の制御を、ユーザにとって容易にし、且つ、直感的に実施することを可能とするという効果を奏する。
【００２０】
また、上記コンテンツ回転処理手段は、上記回転状態検出手段によって検出された筐体の回転状態から得られる当該筐体の装置本体上の基準位置からの回転角度と同じ回転角度で、上記表示手段に表示されているコンテンツを回転処理することを特徴としてもよい。
【００２１】
上記の構成によれば、コンテンツ回転処理手段は、上記回転状態検出手段によって検出された筐体の回転状態から得られる当該筐体の装置本体上の基準位置からの回転角度と同じ回転角度で、上記表示手段に表示されているコンテンツを回転させる処理を行うことで、コンテンツは、筐体の回転状態に応じて、当該筐体の回転角度と同じ回転角度回転されたコンテンツとして表示手段に表示される。また、コンテンツは、筐体の回転状態に応じて、当該筐体の回転角度と同じ回転角度回転されたコンテンツとして映像信号に変換され、当該映像信号は、外部機器に出力される。従って、ユーザにとって直感的かつ簡単な方法で、外部機器の表示画面に表示されるコンテンツを正立させることができる。
【００２２】
なお、本願では、「正立」とは、コンテンツの上下方向とユーザが認識する上下方向とが一致すると共に、コンテンツの左右方向とユーザが認識する左右方向とが一致する状態を意味する。
【００２３】
コンテンツを映像信号に変換して外部機器に出力する場合において、映像信号出力手段は、コンテンツを映像信号に変換する機能を有しているが、映像信号をコンテンツに変換する機能を有しているわけではない。そのため、映像信号出力手段による映像信号の処理は、コンテンツが映像信号出力手段に入力される毎に１回だけしか実施することができない。
【００２４】
そこで、上記映像信号出力手段によって外部機器に出力される映像信号に対応するコンテンツを一時的に記憶するコンテンツ記憶手段を備え、上記コンテンツ回転処理手段は、上記回転状態検出手段による検出結果に応じて、上記コンテンツ記憶手段から上記表示手段に表示されているコンテンツに対応するコンテンツを読み出して当該コンテンツを回転処理することを特徴としてもよい。
【００２５】
この場合、コンテンツ回転処理手段は、上記回転状態検出手段による検出結果に応じて、上記コンテンツ記憶手段から上記表示手段に表示されているコンテンツに対応するコンテンツを読み出して当該コンテンツを回転処理することで、回転処理対象となるコンテンツは、映像信号出力手段によって外部機器に出力される映像信号に対応するコンテンツを一時的に記憶するコンテンツ記憶手段に記憶されることになる。
【００２６】
これにより、外部機器に映像信号を出力している状態において、回転機構によって維持されている筐体の回転状態が変化する場合、現在外部機器に出力されている映像信号の基となるコンテンツが再度映像信号出力手段に入力される。そして、入力されたコンテンツに対し、映像信号出力手段は、上記と同様の処理を実施して、外部機器に映像信号を出力する。
【００２７】
従って、回転機構によって維持されている筐体の回転状態を変化させる度に、外部に出力する映像信号を制御することができるため、実質的に、コンテンツを外部機器に出力している状態において、外部に出力する映像信号を動的に制御することができる。
【００２８】
なお、本発明に係る携帯端末装置は、電話機能を有するのが好ましい。
【発明の効果】
【００２９】
以上のとおり、本発明に係る携帯端末装置は、画像及び映像の少なくとも一方をコンテンツとして表示する表示手段を、少なくともコンテンツ表示面が露出した状態で格納し、装置本体に対して回転可能に支持された筐体と、上記筐体を、少なくとも２つの異なる角度の回転状態で維持させる回転機構と、上記回転機構によって維持されている筐体の回転状態を検出する回転状態検出手段と、上記回転状態検出手段による検出結果に応じて、上記表示手段に表示されているコンテンツを回転処理するコンテンツ回転処理手段と、上記コンテンツ回転処理手段によって回転処理されたコンテンツを映像信号に変換して外部機器に出力する映像信号出力手段とを備える構成である。
【００３０】
また、本発明に係る携帯端末装置の制御方法は、画像及び映像の少なくとも一方をコンテンツとして表示する表示手段を、少なくともコンテンツ表示面が露出した状態で格納し、装置本体に対して回転可能に支持された筐体と、上記筐体を、少なくとも２つの異なる角度の回転状態で維持させる回転機構とを備える携帯端末装置の表示制御方法であって、上記回転機構によって維持されている筐体の回転状態を検出し、上記筐体の回転状態の検出結果に応じて、上記表示手段に表示されているコンテンツを回転処理し、上記回転処理されたコンテンツを映像信号に変換して外部機器に出力する方法である。
【００３１】
従って、回転機構を有する携帯端末装置において、コンテンツを外部機器の表示画面に表示する場合、外部機器の表示画面に表示されるコンテンツの回転の制御を、ユーザにとって容易にし、且つ、直感的に実施することを可能とするという効果を奏する。
【発明を実施するための最良の形態】
【００３２】
〔実施の形態１〕
本発明の実施の一形態に係る携帯端末装置について、図１〜図４を用いて説明する。
【００３３】
まず、本発明に係る携帯端末装置の構成について、図２を用いて説明する。
【００３４】
図２は、本発明に係る携帯端末装置の外観を示す図であり、本発明に係る携帯端末装置を背面から図示した図である。なお、図２（ａ）は、後述する筐体の回転が実施される前における本発明に係る携帯端末装置を示しており、図２（ｂ）は、当該筐体の回転が実施された後における本発明に係る携帯端末装置を示している。
【００３５】
図２に示す携帯端末（携帯端末装置）１００は、筐体１に表示部（表示手段）２及び回転機構３を備える形状を有する。なお、こうした形状を有する携帯端末装置としては、主に電話機能を有する携帯電話機が挙げられるが、これに限定されるものではない。ちなみに、本実施の形態では、携帯端末１００は携帯電話機であるものとして説明を行う。
【００３６】
筐体１は、表示部２を格納する上側筐体（装置本体に対して回転可能に支持された筐体）１ａ及び下側筐体１ｂを備え、携帯端末１００に設けられる各種部材の筐体としての役割を有する。なお、上側筐体１ａと下側筺体１ｂとは、ヒンジ部（図示しない）によって回動自在に連結されている。
【００３７】
表示部２は、上側筐体１ａに格納され、コンテンツを表示する表示装置及び当該表示装置の駆動回路により構成される。
【００３８】
なお、本願では、コンテンツとは、画像及び映像の総称である。このコンテンツとしては、後述するコンテンツメモリ５に記録される静止画像または動映像、受信したテレビ放送の映像等が挙げられる。また、本願では、コンテンツをデータ化して得られるデータをコンテンツデータと称する。
【００３９】
表示部２である表示装置の表示方式は特に限定されるものではなく、液晶表示装置、プラズマディスプレイ、ＣＲＴ（Cathode Ray Tube）、有機ＥＬ表示装置等、公知の種々の表示装置を用いることができる。
【００４０】
表示部２は、縦長のコンテンツを取得当初のコンテンツと同一の状態で表示し、横長のコンテンツを横倒しして表示することができる。なお、横倒しされたコンテンツを表示部２に表示する場合、コンテンツは、表示部２の全画面に表示される。
【００４１】
なお、本願では、「横倒し」とは、コンテンツを表示部２の表示面（コンテンツ表示面）に対して平行となる方向に９０度だけ回転させる処理を意味する。また、本願では、「取得当初のコンテンツ」とは、当該横倒しが実施されないコンテンツを意味する。
【００４２】
回転機構３は、上側筐体１ａのみを、表示部２の表示面に対して平行となる方向に、所定の角度（例えば、９０度）回転させ、維持させることを可能とするものである。即ち、回転機構３は、上側筐体１ａを、少なくとも２つの異なる角度（即ち、０度及び９０度）の回転状態で維持させるものである。
【００４３】
ここで、上記回転機構３の機能による上側筐体１ａの回転について、もう少し詳細に説明する。
【００４４】
図２（ａ）に示す携帯端末１００は、上側筐体１ａ及び上側筐体１ａを除く筐体１部分は縦長となっている。また、この場合、表示部２は、上側筐体１ａと同様に縦長となっている。
【００４５】
ここで、図２（ａ）に示す携帯端末１００の状態において、回転機構３の機能により、上側筐体１ａのみを９０度回転させると、上側筐体１ａを除く筐体１部分は縦長のままで、上側筐体１ａのみが横長となる。即ち、携帯端末１００は、図２（ｂ）に示す状態となる。これに伴い、上側筐体１ａに備えられる表示部２についても同様に９０度回転されるため、表示部２は、縦長から実質的に横長へと変化する。
【００４６】
なお、本願では、回転機構３の機能により上側筐体１ａのみを９０度回転させる処理を、「筐体の回転」と称する。また、本願では、携帯端末１００において筐体の回転が実施されず、表示部２が縦長となる状態を「通常ポジション」、通常ポジションにおいて筐体の回転が実施された状態を「回転ポジション」と称する。
【００４７】
図１は、本発明に係る携帯端末装置の内部の構成を示すブロック図である。
【００４８】
図１に示すとおり、本発明に係る携帯端末装置である携帯端末１００は、上述した筐体１、表示部２、及び回転機構３に加え、回転機構３に備えられる回転センサ（回転状態検出手段）４、コンテンツメモリ５、制御部６、ビデオメモリ７、映像信号出力装置（映像信号出力手段）８、コネクタ９、操作部１０、及び無線通信装置１１から構成される。
【００４９】
表示部２、回転センサ４を備える回転機構３、コンテンツメモリ５、制御部６（即ち、ＣＰＵ（central processing unit）等）、ビデオメモリ７、映像信号出力装置８、コネクタ９、操作部１０、及び無線通信装置１１は全て、筐体１に格納される。
【００５０】
回転センサ４は、回転機構３に備えられ、携帯端末１００が通常ポジションであるのか回転ポジションであるのかを検出する。
【００５１】
なお、上記回転センサ４による携帯端末１００の状態の検出方法としては、例えば下記の方法が挙げられるが、これらに限定されるものではない。
【００５２】
即ち、上記検出方法としては、筐体の回転の回転軸にロータリエンコーダを設置し、回転角度及び回転方向を検出する方法が挙げられる。また、上記検出方法としては、表示部２及び回転機構３にリードスイッチと磁石とを設置し、携帯端末１００が通常ポジション（または回転ポジション）にある状態にのみ、磁石から発生する磁力により、リードスイッチをオン状態とする方法が挙げられる。さらに、上記検出方法としては、表示部２及び回転機構３に磁気センサと磁石とを設置し、携帯端末１００が通常ポジション（または回転ポジション）にある状態にのみ、当該磁石から発生する磁力により、磁気センサを作動させる方法が挙げられる。
【００５３】
回転センサ４は、携帯端末１００が回転ポジションにあることを検出すると、後述する回転状態検出部６１にその旨伝達する。なお、当該伝達は、携帯端末１００が回転ポジションにある全てのタイミングにおいて行われる。即ち、携帯端末１００が回転ポジションにある場合は常に、回転センサ４は当該伝達を実施している。
【００５４】
なお、回転センサ４は、制御部６に設けられる構成であってもよい。
【００５５】
コンテンツメモリ５は、コンテンツデータを記録する記録媒体である。なお、コンテンツメモリ５は、携帯端末１００に対し着脱可能であっても着脱不可能であってもよい。この種のコンテンツメモリ５としては、携帯端末１００に内蔵されている記録装置、外部から携帯端末１００に装着されるＳＤ（Secure Digital）メモリカード等が挙げられるが、これらに限定されるものではない。
【００５６】
制御部６は、例えばＣＰＵからなり、回転状態検出部（回転状態検出手段）６１と、コンテンツ回転処理部（コンテンツ回転処理手段）６２と、を含む。回転状態検出部６１及びコンテンツ回転処理部６２の詳細な説明については後述する。
【００５７】
ビデオメモリ７は、例えばＤＲＡＭ（Dynamic Random Access Memory）によって構成され、コンテンツの描画対象メモリとしての機能を有する。即ち、ビデオメモリ７には、例えばコンテンツメモリ５からのコンテンツデータが画素毎に記録される。これにより、ビデオメモリ７には、コンテンツがソフトウェア的に描画される。
【００５８】
映像信号出力装置８は、入力されたコンテンツデータを映像信号に変換し、コネクタ９に接続される映像ケーブル１２（図３参照）を通じて携帯端末１００の外部へと出力する。
【００５９】
なお、映像信号出力装置８が入力されたコンテンツデータを映像信号に変換する方法としては、例えば下記の方法が挙げられるが、これらに限定されるものではない。
【００６０】
即ち、上記変換の方法としては、映像信号処理プロセッサ（ビデオメモリ７に描画されたコンテンツデータを画素毎に逐次スキャンし、スキャンしたコンテンツデータを映像信号に変換して出力する集積回路）を用いて上記変換を実施する方法が挙げられる。
【００６１】
操作部１０は、主に複数の操作ボタン群からなり、ユーザが携帯端末１００における各種操作を実行するために用いる、携帯端末１００の入力装置であり、ユーザによる各種操作（ユーザ操作）を制御部６に伝達する。無線通信装置１１は、無線回路（図示しない）、受話器（図示しない）、送話器（図示しない）等を備えており、操作部１０により入力されたユーザ操作に基づき、制御部６の制御により、無線電話機として動作する。
【００６２】
また、無線通信装置１１は、テレビ放送（アナログ放送及び／またはワンセグ放送に代表されるデジタル放送）を受信するテレビ放送受信装置（図示しない）を備える構成であってもよい。
【００６３】
ここで、回転状態検出部６１及びコンテンツ回転処理部６２について説明する。
【００６４】
回転状態検出部６１は、回転センサ４による携帯端末１００の状態（携帯端末１００が通常ポジションであるのか回転ポジションであるのか）の検出結果に基づいて、コンテンツ回転処理部６２を制御する制御信号をコンテンツ回転処理部６２に送出する。
【００６５】
具体的に回転状態検出部６１は、回転センサ４が、携帯端末１００が回転ポジションにあることを検出する場合、コンテンツ回転処理部６２を制御する制御信号をコンテンツ回転処理部６２に送出する。
【００６６】
コンテンツ回転処理部６２は、ビデオメモリ７に記録されたコンテンツデータが入力され、上記制御信号に応じて、表示部２に表示されているコンテンツの表示状態を変化するべく（即ち、表示部２に表示されているコンテンツを回転処理するべく）、当該コンテンツデータの処理を行う。また、コンテンツ回転処理部６２は、映像信号出力装置８に対して、当該表示状態が変化したコンテンツを表すコンテンツデータを映像信号に変換させる。
【００６７】
具体的にコンテンツ回転処理部６２は、携帯端末１００が回転ポジションである場合において、上記制御信号が入力される。これにより、コンテンツ回転処理部６２は、表示部２に表示されているコンテンツを横倒しして表示させる。またこの場合、コンテンツ回転処理部６２は、映像信号出力装置８に対して、ビデオメモリ７に記録されたコンテンツデータを、横倒しされたコンテンツにおける正立が満足するコンテンツを示す映像信号に変換させる。
【００６８】
なお、コンテンツ回転処理部６２は、携帯端末１００が通常ポジションである場合において、上記制御信号が入力されない。従って、この場合、コンテンツ回転処理部６２は、表示部２に表示されているコンテンツを取得当初のコンテンツとして表示させる。またこの場合、コンテンツ回転処理部６２は、映像信号出力装置８に対して、ビデオメモリ７に記録されたコンテンツデータを、取得当初のコンテンツにおける正立が満足するコンテンツを示す映像信号に変換させる。
【００６９】
なお、本願では、「取得当初のコンテンツにおける正立」とは、取得当初のコンテンツの上下方向とユーザが認識する上下方向とが一致すると共に、取得当初のコンテンツの左右方向とユーザが認識する左右方向とが一致する状態を意味する。また、本願では、「横倒しされたコンテンツにおける正立」とは、横倒しされたコンテンツの上下方向とユーザが認識する上下方向とが一致すると共に、横倒しされたコンテンツの左右方向とユーザが認識する左右方向とが一致する状態を意味する。
【００７０】
また、携帯端末１００が回転ポジションである場合において、コンテンツ回転処理部６２が、映像信号出力装置８に対して、ビデオメモリ７に記録されたコンテンツデータを、横倒しされたコンテンツにおける正立が満足するコンテンツを示す映像信号に変換する方法としては、例えば下記の方法が挙げられるが、これらに限定されるものではない。
【００７１】
即ち、上記変換の方法としては、上記映像信号変換プロセッサによる、画素のスキャンを実施する順序を変更する（即ち、特定のコンテンツにおいて、ビデオメモリ７に描画されたコンテンツデータにおける特定の画素が示す箇所と、映像信号における当該画素が示す箇所との対応関係を変更する）方法が挙げられる。
【００７２】
続いて、本発明に係る携帯端末の動作について、図３、４を用いて説明する。
【００７３】
図３は、携帯端末１００の表示部２及び外部機器１３の表示画面１４にコンテンツが表示される様子を示した図である。図３（ａ）では、携帯端末１００が通常ポジションであると共に、コンテンツは縦長であるため取得当初のコンテンツとして携帯端末１００の表示部２に表示されている。図３（ｂ）では、携帯端末１００が通常ポジションであると共に、コンテンツは横長であるため横倒しされて携帯端末１００の表示部２に表示されている。図３（ｃ）では、携帯端末１００が回転ポジションであると共に、コンテンツは横長であるため横倒しされて携帯端末１００の表示部２に表示されている。
【００７４】
図３では、携帯端末１００は、映像ケーブル１２により、外部機器１３に接続されている。外部機器１３は、表示画面１４を有する。この場合、携帯端末１００は、コンテンツデータを映像信号に変換して外部機器１３に出力することができる。そして、当該映像信号が外部機器１３に入力されると、外部機器１３は、入力された映像信号に基づいてコンテンツデータを生成し、コンテンツとして表示画面１４に表示する。なお、外部機器１３としては、テレビ受信機等が挙げられるが、これに限定されるものではない。
【００７５】
図３（ａ）の場合、携帯端末１００は、通常ポジションである。この場合、コンテンツデータは、取得当初のコンテンツにおける正立が満足するコンテンツを示す映像信号に変換されて、外部機器１３に出力される。また、携帯端末１００の表示部２に表示されるコンテンツは縦長であるため、取得当初のコンテンツとして携帯端末１００の表示部２に表示されている。そのため、外部機器１３の表示画面１４に表示されるコンテンツは、取得当初のコンテンツが、取得当初のコンテンツにおける正立を満足する状態で表示されるため、外部機器１３の表示画面１４に表示されるコンテンツは、正立となる。
【００７６】
図３（ｂ）の場合も図３（ａ）の場合と同様に、携帯端末１００は、通常ポジションであるため、コンテンツデータは、取得当初のコンテンツにおける正立が満足するコンテンツを示す映像信号に変換されて、外部機器１３に出力される。しかしながら、携帯端末１００の表示部２に表示されるコンテンツは横長であるため、横倒しされたコンテンツとして携帯端末１００の表示部２に表示されている。そのため、外部機器１３の表示画面１４に表示されるコンテンツは、横倒しされたコンテンツが、取得当初のコンテンツにおける正立を満足する状態で表示されるため、外部機器１３の表示画面１４に表示されるコンテンツは、正立とはならない。
【００７７】
図３（ｃ）の場合、携帯端末１００は、回転ポジションである。この場合、コンテンツデータは、横倒しされたコンテンツにおける正立が満足するコンテンツを示す映像信号に変換されて、外部機器１３に出力される。そして、携帯端末１００の表示部２に表示されるコンテンツは横長であるため、横倒しされたコンテンツとして携帯端末１００の表示部２に表示されている。そのため、外部機器１３の表示画面１４に表示されるコンテンツは、横倒しされたコンテンツが、横倒しされたコンテンツにおける正立を満足する状態で表示されるため、外部機器１３の表示画面１４に表示されるコンテンツは、正立となる。
【００７８】
これにより、携帯端末１００は、自身の状態（携帯端末１００が通常ポジションであるのか回転ポジションであるのか）に応じて外部機器１３の表示画面１４に表示されるコンテンツの上下方向及び左右方向を変化させることができる。
【００７９】
また、図４は、携帯端末１００の状態（携帯端末１００が通常ポジションであるのか回転ポジションであるのか）に応じて外部機器１３の表示画面１４に表示されるコンテンツの上下方向及び左右方向を変化させる処理の流れを示すフローチャートである。なお、図４に示すフローチャートにおいて、映像信号出力装置８によるコンテンツデータの取得は通常、ＳＴＡＲＴとステップＳ１との間で実施される（即ち、映像信号出力装置８がビデオメモリ７に記録されたコンテンツデータを取得してから、回転状態検出部６１は携帯端末１００の状態を検出する）が、これに限定されるものではない。
【００８０】
まず、回転状態検出部６１にて、携帯端末１００の状態（携帯端末１００が通常ポジションであるのか回転ポジションであるのか）を検出する（Ｓ１）。
【００８１】
ステップＳ１における上記検出の結果が通常ポジションである場合は、回転状態検出部６１は、上記制御信号を出力しない。そしてこのとき、コンテンツ回転処理部６２は、映像信号出力装置８に対して、ビデオメモリ７に記録されたコンテンツデータを、取得当初のコンテンツにおける正立を満足するコンテンツを示す映像信号に変換させる（Ｓ２）。
【００８２】
一方、ステップＳ１における上記検出の結果が回転ポジションである場合は、回転状態検出部６１は、コンテンツ回転処理部６２に対して、上記制御信号を出力する。そしてこのとき、コンテンツ回転処理部６２は、映像信号出力装置８に対して、ビデオメモリ７に記録されたコンテンツデータを、横倒しされたコンテンツにおける正立を満足するコンテンツを示す映像信号に変換させる（Ｓ３）。
【００８３】
以上のことから、本発明に係る携帯端末は、通常ポジションでは取得当初のコンテンツを正立させることができる。また、本発明に係る携帯端末は、回転ポジションでは横倒しされたコンテンツを正立させることができる。即ち、本発明に係る携帯端末では、筐体の回転を実施するだけで、外部機器の表示画面に表示されるコンテンツを正立させることができる。従って、ユーザにとって直感的かつ簡単な方法で、外部機器の表示画面に表示されるコンテンツを正立させることができる。
【００８４】
〔実施の形態２〕
本発明の実施の一形態に係る携帯端末装置について、図５を用いて説明する。
【００８５】
図５は、本発明の別の実施例に係る携帯端末装置の内部の構成を示すブロック図である。
【００８６】
図５に示す携帯端末（携帯端末装置）１０１は、図１に示す携帯端末１００の構成に加え、メモリ（コンテンツ記憶手段）１５を備え、制御部６にビデオメモリ保存処理部６３を含む。
【００８７】
ビデオメモリ７にコンテンツデータが記録されると、ビデオメモリ保存処理部６３は、当該コンテンツデータをビデオメモリ７から読み出し、メモリ１５に記録する。なお、メモリ１５への記録処理時に、メモリ１５に所定のコンテンツデータが記憶されている場合、ビデオメモリ保存処理部６３は、メモリ１５に記憶されているコンテンツデータを破棄してからメモリ１５への記録処理を開始するのが好ましい。
【００８８】
なお、メモリ１５として使用されるメモリは、例えばＤＲＡＭが挙げられる。また、本実施の形態では、メモリ１５とビデオメモリ７とが別々のメモリとして設けられる構成であるが、これに限定されない。即ち、メモリ１５とビデオメモリ７とは、同一の記録媒体として設けられる構成であってもよい。
【００８９】
携帯端末１０１が回転ポジションである状態において回転状態検出部６１から送出される上記制御信号は、コンテンツ回転処理部６２に入力される。
【００９０】
コンテンツ回転処理部６２は、自身への上記制御信号の入力が開始または停止された場合、メモリ１５に記録されたコンテンツデータを読み出し、当該制御信号に応じて、表示部２に表示されているコンテンツの表示状態を変化するべく、当該コンテンツデータの処理を行う。また、コンテンツ回転処理部６２は、映像信号出力装置８に対して、当該表示状態が変化したコンテンツを表すコンテンツデータを映像信号に変換させる。
【００９１】
即ち、コンテンツ回転処理部６２は、携帯端末１００の状態（携帯端末１０１が通常ポジションであるのか回転ポジションであるのか）が変化する毎に、メモリ１５に記録されたコンテンツデータを読み出す。そして、コンテンツ回転処理部６２は、当該コンテンツデータに対して、上述した実施の形態と同様の処理を実施する。
【００９２】
なお、図５に示す携帯端末１０１は、上述した実施の形態と同様に、即ち、図３に示す接続方法により、外部機器１３に接続されている。つまり、図５に示す携帯端末１０１は、映像ケーブル１２により、外部機器１３に接続されている。外部機器１３は、表示画面１４を有する。この場合、携帯端末１００は、コンテンツデータを映像信号に変換して外部機器１３に出力することにより、コンテンツを外部機器１３の表示画面１４に表示させることができる。外部機器１３としては、テレビ受信機等が挙げられるが、これに限定されるものではない。
【００９３】
コンテンツデータを映像信号に変換して外部機器１３に出力する場合において、映像信号出力装置８は、コンテンツデータを映像信号に変換する機能を有しているが、映像信号をコンテンツデータに変換する機能を有しているわけではない。そのため、上述した実施の形態に係る映像信号出力装置８による映像信号の出力は、コンテンツデータが映像信号出力装置８に入力される毎に１回だけしか実施することができない。
【００９４】
そのため、映像信号出力装置８にコンテンツデータが入力されない間は、筐体の回転を実施したとしても、外部機器１３の表示画面１４に表示されるコンテンツの上下方向及び左右方向はいずれも変化しない。
【００９５】
そこで、本実施の形態に係る携帯端末１０１は、筐体の回転を実施する度に、メモリ１５に記録されたコンテンツデータをコンテンツ回転処理部６２に入力する。そして、入力されたコンテンツデータに対し、コンテンツ回転処理部６２は、上述した実施の形態と同様の処理を実施することができる。
【００９６】
また、メモリ１５には、前回映像信号出力装置８に入力されたコンテンツデータが、即ち、最後に外部機器１３の表示画面１４に表示された（現在外部機器１３の表示画面１４に表示されているものも含む）コンテンツの基となるコンテンツデータが記録されている。
【００９７】
そのため、本実施の形態に係る携帯端末１０１は、外部機器１３の表示画面１４にコンテンツを表示している状態において、筐体の回転を実施した場合、現在外部機器１３の表示画面１４に表示されているコンテンツの基となるコンテンツデータが再度映像信号出力装置８に入力される。そして、入力されたコンテンツデータに対し、映像信号出力装置８は、上述した実施の形態と同様の処理を実施して、外部機器１３の表示画面１４にコンテンツを表示させることができる。
【００９８】
これにより、外部機器１３の表示画面１４にコンテンツを表示している状態において、筐体の回転が行われる度に、外部機器１３の表示画面１４に表示されるコンテンツを正立させることができる。即ち、自身の状態（携帯端末１０１が通常ポジションであるのか回転ポジションであるのか）を変化させる度に、外部に出力する映像信号を制御することができる。従って、実質的に、コンテンツを外部機器１３に出力している状態において、外部に出力する映像信号を動的に制御することができる。
【００９９】
本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１００】
本発明の携帯端末装置は、例えば、回転機構を有し、コンテンツデータを映像信号に変換して、外部機器に出力する携帯端末装置として、携帯電話機等に好適に利用することができる。
【図面の簡単な説明】
【０１０１】
【図１】本発明の一実施形態を示すものであり、携帯端末装置の内部の構成を示すブロック図である。
【図２】図２（ａ）は、筐体の回転が実施される前における上記携帯端末装置の外観を背面から図示した図であり、図２（ｂ）は、筐体の回転が実施された後における上記携帯端末装置の外観を背面から図示した図である。
【図３】上記携帯端末装置の表示部及び外部機器の表示画面にコンテンツが表示される様子を示した図である。
【図４】上記携帯端末装置の状態に応じて外部機器の表示画面に表示されるコンテンツの上下方向及び左右方向を変化させる処理の流れを示すフローチャートである。
【図５】本発明の別の実施例に係る携帯端末装置の内部の構成を示すブロック図である。
【符号の説明】
【０１０２】
１ａ  上側筐体（装置本体に対して回転可能に支持された筐体）
２  表示部（表示手段）
３  回転機構
４  回転センサ（回転状態検出手段）
８  映像信号出力装置（映像信号出力手段）
１３  外部機器
１５  メモリ（コンテンツ記憶手段）
６１  回転状態検出部（回転状態検出手段）
６２  コンテンツ回転処理部（コンテンツ回転処理手段）
１００、１０１  携帯端末（携帯端末装置）
【図１】
2008301122.tif 000003
【図２】
2008301122.tif 000004
【図３】
2008301122.tif 000005
【図４】
2008301122.tif 000006
【図５】
2008301122.tif 000007